(57)【要約】本発明は、レガシーＤＶＤディスクを関連ウェブサイトにリンクさせ、通常のＷｅｂＤＶＤディスクを再生するためのＷｅｂＤＶＤプレーヤーを提供する。本プレーヤーは、人気のあるＤＶＤコンテンツ提供者のＵＲＬリストを有するデータベースを有する。ディスクがプレーヤーにロードされた後、プレーヤーは、提供者一意的識別（ＰＶＲ＿ＩＤ）を読み込み、このＰＶＲ＿ＩＤを用いてＵＲＬリストから関連するコンテンツ提供者のＵＲＬを検出する。コンテンツ提供者のＵＲＬは、ディスクのいくつかの人気のあるタイトル識別（Ｔｉｔｌｅ＿ＩＤ）のリストと、ディスク上のＴｉｔｌｅ＿ＩＤの位置と、Ｔｉｔｌｅ＿ＩＤの導出メソッドと、関連ウェブサイトのＵＲＬとを有するテーブルにインデックス処理されている。その後、本プレーヤーは、コンテンツ提供者のウェブページを特定する対応するＵＲＬを検出するため、テーブルのメソッドに従ってディスクのＴｉｔｌｅ＿ＩＤの導出を試行し、導出されたＴｉｔｌｅ＿ＩＤとテーブルのＴｉｔｌｅ＿ＩＤカラムのデータとを比較する。
2006507619.tif 000002
【特許請求の範囲】
【請求項１】
レガシーＤＶＤディスクのタイトルの一意的な識別子である前記ディスクのタイトル識別（Ｔｉｔｌｅ＿ＩＤ）を導出する手段と、
前記導出されたＴｉｔｌｅ＿ＩＤに基づき、前記ディスクを関連ウェブサイトにリンクさせる手段と、
を有することを特徴とするＷｅｂＤＶＤプレーヤー。
【請求項２】
請求項１記載のプレーヤーであって、
前記Ｔｉｔｌｅ＿ＩＤは、データベースに指定されたメソッドに従って導出されることを特徴とするプレーヤー。
【請求項３】
請求項２記載のプレーヤーであって、さらに、
前記導出されたＴｉｔｌｅ＿ＩＤが前記指定されたメソッドと関連付けされた前記データベースに示される期待値に一致するか判断する手段を有することを特徴とするプレーヤー。
【請求項４】
請求項２記載のプレーヤーであって、さらに、
前記導出されたＴｉｔｌｅ＿ＩＤが前記期待値に一致している場合、前記期待値と関連付けされた前記データベースのＵＲＬ（Ｕｎｉｖｅｒｓａｌ  Ｒｅｓｏｕｒｃｅ  Ｌｏｃａｔｏｒ）を抽出する手段を有することを特徴とするプレーヤー。
【請求項５】
請求項２記載のプレーヤーであって、
前記Ｔｉｔｌｅ＿ＩＤは、前記ディスクの予め選択された位置から一意的な識別子を抽出することにより導出されることを特徴とするプレーヤー。
【請求項６】
請求項５記載のプレーヤーであって、
前記予め選択された位置は、ＢＣＡ（Ｂｕｒｓｔ  Ｃｕｔｔｉｎｇ  Ａｒｅａ）であることを特徴とするプレーヤー。
【請求項７】
請求項５記載のプレーヤーであって、
前記予め選択された位置は、プライベートデータセクタであることを特徴とするプレーヤー。
【請求項８】
請求項１記載のプレーヤーであって、
前記Ｔｉｔｌｅ＿ＩＤは、前記ディスクのＵＤＦ（Ｕｎｉｖｅｒｓａｌ  Ｄｉｓｃ  Ｆｏｒｍａｔ）ファイルシステムのボリュームセットＩＤであることを特徴とするプレーヤー。
【請求項９】
請求項２記載のプレーヤーであって、
前記Ｔｉｔｌｅ＿ＩＤは、前記ディスク上の利用可能な選択されたデータに基づき導出されることを特徴とするプレーヤー。
【請求項１０】
請求項１記載のプレーヤーであって、さらに、
前記ディスクから提供者一意的識別（ＰＶＲ＿ＩＤ）を抽出する手段を有し、
前記Ｔｉｔｌｅ＿ＩＤは、前記ディスクの抽出されたＰＶＲ＿ＩＤに基づき抽出される、ことを特徴とするプレーヤー。
【請求項１１】
請求項１０記載のプレーヤーであって、さらに、
予め選択されたコンテンツ提供者のウェブサイトにリンクさせるためのＵＲＬのリストと、前記各ＵＲＬに関連付けされた予想されるＴｉｔｌｅ＿ＩＤのテーブルとを有するデータベースを格納する手段と、
前記抽出されたＰＶＲ＿ＩＤが前記リストの対応するＵＲＬに一致しているか判断する手段と、
一致するＴｉｔｌｅ＿ＩＤを検出するため、前記対応するＵＲＬに関連付けされた前記テーブルのＴｉｔｌｅ＿ＩＤを検索する手段と、
を有することを特徴とするプレーヤー。
【請求項１２】
請求項１１記載のプレーヤーであって、
前記データベースはさらに、ディスクのＴｉｔｌｅ＿ＩＤの導出メソッドのリストを有し、前記予想される各Ｔｉｔｌｅ＿ＩＤは、前記メソッドと関連付けされ、各自のメソッドに従って導出可能であり、
前記Ｔｉｔｌｅ＿ＩＤは、前記テーブルに指定されるメソッドに従って導出され、
前記検索する手段は、前記導出されたＴｉｔｌｅ＿ＩＤが前記テーブルの予想されたＴｉｔｌｅ＿ＩＤに一致するか判断する、
ことを特徴とするプレーヤー。
【請求項１３】
請求項１２記載のプレーヤーであって、
前記抽出されたＴｉｔｌｅ＿ＩＤが前記テーブルの何れの予想されるＴｉｔｌｅ＿ＩＤとも一致しない場合、前記リンクさせる手段は、前記対応するＵＲＬを用いて、前記ディスクをコンテンツ提供者のジェネラルウェブサイトにリンクさせることを特徴とするプレーヤー。
【請求項１４】
請求項１２記載のプレーヤーであって、さらに、
前記導出されたＴｉｔｌｅ＿ＩＤが前記テーブルの何れの予想されるＴｉｔｌｅ＿ＩＤとも一致しない場合、関連ウェブサイトへのＵＲＬリンクのリストと、関連するＰＶＲ＿ＩＤ及びＴｉｔｌｅ＿ＩＤとを有するデータベースを有するソースウェブサイトにアクセスする手段と、
前記抽出されたＰＶＲ＿ＩＤと導出されたＴｉｔｌｅ＿ＩＤとに基づき、前記データベースの対応するＵＲＬを検索する手段と、
前記対応する一致したＵＲＬを用いて、前記ディスクを関連ウェブサイトにリンクさせる手段と、
を有することを特徴とするプレーヤー。
【請求項１５】
請求項１２記載のプレーヤーであって、
前記Ｔｉｔｌｅ＿ＩＤは、前記ディスク上の利用可能な選択されたデータに基づき導出されることを特徴とするプレーヤー。
【請求項１６】
レガシーＤＶＤディスクから提供者一意的識別（ＰＶＲ＿ＩＤ）を抽出する手段と、
前記ディスクからデフォルトの方法により前記ディスクのタイトルの一意的識別であるタイトル識別（Ｔｉｔｌｅ＿ＩＤ）を導出する手段と、
関連ウェブサイトへのＵＲＬ（Ｕｎｉｖｅｒｓａｌ  Ｒｅｓｏｕｒｃｅ  Ｌｏｃａｔｏｒ）リンクのリストと、関連するＰＶＲ＿ＩＤ及びＴｉｔｌｅ＿ＩＤとを有するデータベースを有するソースウェブサイトにアクセスする手段と、
前記抽出されたＰＶＲ＿ＩＤと導出されたＴｉｔｌｅ＿ＩＤとに基づき、前記データベースの対応するＵＲＬを検索する手段と、
前記対応する一致したＵＲＬを用いて、前記ディスクを関連ウェブサイトにリンクさせる手段と、
を有することを特徴とするＷｅｂＤＶＤプレーヤー。
【請求項１７】
請求項１６記載のプレーヤーであって、
前記データベースはさらに、ディスクのＴｉｔｌｅ＿ＩＤを導出するためのメソッドのリストを有し、
前記メソッドは、各メソッドに従って導出可能なＴｉｔｌｅ＿ＩＤに関連付けされる、
ことを特徴とするプレーヤー。
【請求項１８】
請求項１７記載のプレーヤーであって、さらに、
前記対応するＵＲＬが前記検索する手段により検出できない場合、前記データベースに指定されたメソッドに従って前記ディスクのＴｉｔｌｅ＿ＩＤを導出する手段と、
前記導出されたＴｉｔｌｅ＿ＩＤが前記指定されたメソッドに関連付けされた前記データベースに示されるＴｉｔｌｅ＿ＩＤと一致しているか判断する手段と、
を有し、
前記検索する手段は、前記抽出されたＰＶＲ＿ＩＤと前記一致したＴｉｔｌｅ＿ＩＤとに基づき、前記データベースの関連するＵＲＬを検索し、
前記リンクさせる手段は、前記関連するＵＲＬを用いて、前記ディスクを関連ウェブサイトにリンクさせる、
ことを特徴とするプレーヤー。
【請求項１９】
請求項１８記載のプレーヤーであって、
前記指定されたメソッドは、前記ディスクの予め選択された位置からの一意的識別子の抽出を示すことを特徴とするプレーヤー。
【請求項２０】
請求項１８記載のプレーヤーであって、
前記Ｔｉｔｌｅ＿ＩＤは、前記ディスク上の利用可能な選択されたデータに基づき導出されることを特徴とするプレーヤー。
【請求項２１】
レガシーＤＶＤディスクを関連ウェブサイトにリンクさせる方法であって、
前記ディスクのタイトルの一意的識別子である前記ディスクのタイトル識別（Ｔｉｔｌｅ＿ＩＤ）を導出するステップと、
前記導出されたＴｉｔｌｅ＿ＩＤに基づき、前記ディスクを関連ウェブサイトにリンクさせるステップと、
を有することを特徴とする方法。
【請求項２２】
請求項２１記載の方法であって、
前記Ｔｉｔｌｅ＿ＩＤは、データベースに指定されたメソッドに従って導出されることを特徴とする方法。
【請求項２３】
請求項２２記載の方法であって、さらに、
前記導出されたＴｉｔｌｅ＿ＩＤが前記指定されたメソッドに関連付けされた前記データベースに示される期待値と一致するか判断するステップを有することを特徴とする方法。
【請求項２４】
請求項２２記載の方法であって、さらに、
前記抽出されたＴｉｔｌｅ＿ＩＤが前記期待値と一致する場合、前記期待値に関連付けされる前記データベースのＵＲＬ（Ｕｎｉｖｅｒｓａｌ  Ｒｅｓｏｕｒｃｅ  Ｌｏｃａｔｏｒ）を抽出するステップを有することを特徴とする方法。
【請求項２５】
請求項２２記載の方法であって、
前記Ｔｉｔｌｅ＿ＩＤは、前記ディスクの予め選択された位置から一意的識別子を抽出することにより導出されることを特徴とする方法。
【請求項２６】
請求項２５記載の方法であって、
前記予め選択された位置は、ＢＣＡ（Ｂｕｒｓｔ  Ｃｕｔｔｉｎｇ  Ａｒｅａ）であることを特徴とする方法。
【請求項２７】
請求項２５記載の方法であって、
前記予め選択された位置は、プライベートデータセクタであることを特徴とする方法。
【請求項２８】
請求項２１記載の方法であって、
前記Ｔｉｔｌｅ＿ＩＤは、前記ディスクのＵＤＦ（Ｕｎｉｖｅｒｓａｌ  Ｄｉｓｃ  Ｆｉｌｅ）ファイルシステムのボリュームセットＩＤであることを特徴とする方法。
【請求項２９】
請求項２１記載の方法であって、
前記Ｔｉｔｌｅ＿ＩＤは、前記ディスク上の利用可能な選択されたデータに基づき導出されることを特徴とする方法。
【請求項３０】
請求項２９記載の方法であって、さらに、
前記ディスクから提供者一意的識別（ＰＶＲ＿ＩＤ）を抽出するステップを有し、
前記Ｔｉｔｌｅ＿ＩＤは、前記ディスクの抽出されたＰＶＲ＿ＩＤに基づき導出される、
ことを特徴とする方法。
【請求項３１】
請求項３０記載の方法であって、さらに、
予め選択されたコンテンツ提供者のウェブサイトにリンクさせるＵＲＬのリストと、各ＵＲＬに関連付けされた洋装されるＴｉｔｌｅ＿ＩＤのテーブルとを有するデータベースを予め格納するステップと、
前記抽出されたＰＶＲ＿ＩＤが前記リストの対応するＵＲＬと一致するか判断するステップと、
一致したＴｉｔｌｅ＿ＩＤを検出するため、前記対応するＵＲＬに関連付けされた前記テーブルのＴｉｔｌｅ＿ＩＤを検索するステップと、
を有することを特徴とする方法。
【請求項３２】
請求項３０記載の方法であって、
前記データベースはさらに、ディスクのＴｉｔｌｅ＿ＩＤの導出メソッドのリストを有し、前記予想される各Ｔｉｔｌｅ＿ＩＤは、前記メソッドと関連付けされ、各自のメソッドに従って導出可能であり、
前記Ｔｉｔｌｅ＿ＩＤは、前記テーブルに指定されるメソッドに従って導出され、
前記検索するステップは、前記導出されたＴｉｔｌｅ＿ＩＤが前記テーブルの予想されたＴｉｔｌｅ＿ＩＤに一致するか判断するステップを有する、
ことを特徴とする方法。
【請求項３３】
請求項３２記載の方法であって、さらに、
前記導出されたＴｉｔｌｅ＿ＩＤが前記テーブルの何れの予想されるＴｉｔｌｅ＿ＩＤとも一致しない場合、関連ウェブサイトへのＵＲＬリンクのリストと、関連するＰＶＲ＿ＩＤ及びＴｉｔｌｅ＿ＩＤとを有するデータベースを有するソースウェブサイトにアクセスするステップと、
前記抽出されたＰＶＲ＿ＩＤと導出されたＴｉｔｌｅ＿ＩＤとに基づき、前記データベースの対応するＵＲＬを検索するステップと、
前記対応する一致したＵＲＬを用いて、前記ディスクを関連ウェブサイトにリンクさせるステップと、
を有することを特徴とする方法。
【請求項３４】
レガシーＤＶＤディスクを関連ウェブサイトにリンクさせる方法であって、
レガシーＤＶＤディスクから提供者一意的識別（ＰＶＲ＿ＩＤ）を抽出するステップと、
前記ディスクからデフォルトな方法により前記ディスクのタイトルの一意的識別子であるタイトル識別（Ｔｉｔｌｅ＿ＩＤ）を導出するステップと、
関連ウェブサイトへのＵＲＬ（Ｕｎｉｖｅｒｓａｌ  Ｒｅｓｏｕｒｃｅ  Ｌｏｃａｔｏｒ）リンクのリストと、関連するＰＶＲ＿ＩＤ及びＴｉｔｌｅ＿ＩＤとを有するデータベースを有するソースウェブサイトにアクセスするステップと、
前記抽出されたＰＶＲ＿ＩＤと導出されたＴｉｔｌｅ＿ＩＤとに基づき、前記データベースの対応するＵＲＬを検索するステップと、
前記対応する一致したＵＲＬを用いて、前記ディスクを関連ウェブサイトにリンクさせるステップと、
を有することを特徴とする方法。
【請求項３５】
請求項３４記載の方法であって、
前記データベースはさらに、ディスクのＴｉｔｌｅ＿ＩＤの導出メソッドのリストを有し、前記メソッドは各自のメソッドに従って導出可能なＴｉｔｌｅ＿ＩＤと関連付けされている、
ことを特徴とする方法。
【請求項３６】
請求項３５記載の方法であって、さらに、
前記対応するＵＲＬが検出できない場合、前記データベースに指定されたメソッドに従って前記ディスクのＴｉｔｌｅ＿ＩＤを導出するステップと、
前記導出されたＴｉｔｌｅ＿ＩＤが前記指定されたメソッドに関連付けされた前記データベースに示されるＴｉｔｌｅ＿ＩＤと一致するか判断するステップと、
を有し、
前記検索するステップは、前記抽出されたＰＶＲ＿ＩＤと前記一致したＴｉｔｌｅ＿ＩＤとに基づき前記データベースの関連するＵＲＬを検索し、
前記リンクさせるステップは、前記関連するＵＲＬを用いて、前記ディスクを関連ウェブサイトにリンクさせる、
ことを特徴とする方法。
【請求項３７】
請求項３６記載の方法であって、
前記Ｔｉｔｌｅ＿ＩＤは、前記ディスク上の利用可能な選択されたデータに基づき導出されることを特徴とする方法。
【請求項３８】
請求項１４記載のプレーヤーであって、さらに、
前記格納する手段によって格納されているデータベース及びテーブルを前記ソースウェブサイトからの情報により定期的に更新する手段を有することを特徴とするプレーヤー。
【請求項３９】
請求項１４記載のプレーヤーであって、さらに、
前記ウェブサイトがアクセスされるごとに、ウェブサイトアドレスのアドレスをキャッシュする手段を有することを特徴とするプレーヤー。
【請求項４０】
請求項１４記載のプレーヤーであって、さらに、
前記格納する手段によって格納されているデータベース及びテーブルを新しい情報によりユーザが手動更新することを可能にする手段を有することを特徴とするプレーヤー。
【発明の詳細な説明】
【技術分野】
【０００１】
本発明は、一般にＤＶＤプレーヤーに関し、より詳細には、既存のレガシーＤＶＤディスクを関連するウェブサイトにリンクさせることを可能にするＷｅｂＤＶＤプレーヤーに関する。
【背景技術】
【０００２】
インターネットＤＶＤ、オンラインＤＶＤ、ＥＮａｖ（Ｅｎｈａｎｃｅｄ  Ｎａｖｉｇａｔｉｏｎ）ＤＶＤなどとして知られるＷｅｂＤＶＤは、インターネット技術によりＤＶＤビデオを拡張させるための強力なコンセプトである。ＷｅｂＤＶＤは、ＤＶＤの利点とインターネットの利点を組み合わせたものであり、これにより、互いに補完し合い、多くの領域において用途を見出す。例えば、ＷｅｂＤＶＤ映画は、宣伝活動、視聴者討論、マルチプレーヤーゲームなどのため、インターネットに接続することができる。流通しているディスクは、即座の購入のためウェブページによりバックアップされている豊富なビデオ製品により閲覧者を魅了することができる。その可能性は尽きることがない。ＷｅｂＤＶＤタイトルは、自動的なソフトウェアの更新、新たな情報が利用可能になるときのコンテンツの補完、関連するウェブページへのリンクの更新、現在のニュース及びイベント、関連サービス及び製品の特別提供などにより、インターネットの即時性を利用している。これにより、ＷｅｂＤＶＤディスクが開発者の手から離れた後でも、それは依然として改良あるいは更新が可能である。静的媒体にあるものが、動的かつ更新可能となり、製品の寿命を延ばすことができる。
【０００３】
産業的な協会であるＤＶＤフォーラム（ｈｔｔｐ：//ｗｗｗ．ｄｖｄｆｏｒｕｍ．ｏｒｇ）は、ＷｅｂＤＶＤビデオディスクにリンクされるウェブコンテンツの規格を現在策定中である。これにより、ＤＶＤビデオディスクに具体的なディスクに関するコンテンツを有するウェブサイトへの組み込まれたウェブリンクを含めることが可能となる。ウェブサイトは、プレーヤーがオリジナルのＤＶＤメニューの代わりに利用できるように、プレーヤーがダウンロードする新しいナビゲーションメニューを備えるようにしてもよい。
【０００４】
しかしながら、既存のレガシーＤＶＤビデオディスクでは、ウェブサイト上に提供され、新しいＷｅｂＤＶＤビデオディスクに対し同様の方法によりディスクと共に利用される拡張されたコンテンツを有することは不可能である。これにより、所有者による無数のレガシーディスクの再生と関連して、電子商取引の高い潜在的可能性が妨害及び抑制されるであろう。
【発明の開示】
【発明が解決しようとする課題】
【０００５】
従って、既存のレガシーＤＶＤディスクに関するコンテンツを有するウェブサイトを特定可能なＷｅｂＤＶＤプレーヤーを提供することが必要とされる。
【０００６】
本発明は、通常のＷｅｂＤＶＤディスクの再生に加えて、レガシーＤＶＤディスクを関連するウェブサイトにリンクさせることが可能なＷｅｂＤＶＤプレーヤーを提供する。
【課題を解決するための手段】
【０００７】
本発明の第１実施例によると、プレーヤーは、ＡＯＬタイムワーナー、ウォルトディズニーなどの有名なＤＶＤコンテンツ提供者のＵＲＬリストを有する小規模データベースを有する。ディスクがプレーヤーにロードされた後、プレーヤーはディスクから提供者一意的識別（ＰＶＲ＿ＩＤ）を読み込み、このＰＶＲ＿ＩＤを用いてＵＲＬリストから関連するコンテンツ提供者のＵＲＬを検出する。コンテンツ提供者のＵＲＬは、コンテンツ提供者により作製されたディスクのいくつかの人気のあるタイトル識別（Ｔｉｔｌｅ＿ＩＤ）のリスト、ディスク上のＴｉｔｌｅ＿ＩＤの位置、Ｔｉｔｌｅ＿ＩＤの導出メソッド及び関連ウェブサイトのＵＲＬを含むテーブルにインデックス処理されている。その後、プレーヤーは、コンテンツ提供者のウェブページを特定する対応するＵＲＬを検出するため、このテーブルに指定されたメソッドに従ってディスクのＴｉｔｌｅ＿ＩＤの導出を試行し、導出されたＴｉｔｌｅ＿ＩＤとテーブルのＴｉｔｌｅ＿ＩＤカラムのデータを比較する。
【０００８】
本発明の第２実施例によると、第１実施例のプレーヤーのものと同様のデータベースがウェブサーバに格納されている。このデータベースは、コンテンツ提供者のウェブサイトへのＵＲＬリンクとプレーヤーによるアクセスのためのビデオタイトルのより包括的なリストを有する。本実施例では、ディスクがプレーヤーにロードされた後、プレーヤーは、ディスクからＰＶＲ＿ＩＤとＴｉｔｌｅ＿ＩＤを読み込み、マッチを検索するためプレーヤーメーカーまたは他の組織（ＤＶＤフォーラムなど）により与えられるデータベースを含むソースウェブサイトと当該ディスクをリンクさせる。
【０００９】
本発明の第３実施例は、第１実施例と第２実施例を組み合わせたものである。ディスクがプレーヤーにロードされた後、プレーヤーはまずマッチするＴｉｔｌｅ＿ＩＤを検出するため、それの内部データベースを参照する。検出できない場合、プレーヤーは、マッチするＴｉｔｌｅ＿ＩＤを検出するため、ソースウェブサイトにアクセスする。
【００１０】
本発明の十分な理解と共に他の課題および効果が、添付した図面と共に以下の説明及び請求項を参照することにより明らかとなり、理解されるであろう。
【発明を実施するための最良の形態】
【００１１】
添付した図面を参照することにより、本発明がより詳細に説明される。図面を通じて、同一の参照番号は、同様または対応する特徴または機能を示す。
【００１２】
図１は、本発明の一実施例によるＷｅｂＤＶＤプレーヤー１０とインターネットとの接続を示す。図示されるように、ＤＶＤビデオディスク２０は、ウェブサーバ２５上の関連ウェブサイトとやりとりするため、ＷｅｂＤＶＤプレーヤー１０に挿入することができる。プレーヤー１０はまた、ＰＣなどの他の形態により実現されてもよい。ディスク２０は、ＷｅｂＤＶＤビデオディスクあるいは既存のレガシーＤＶＤビデオディスクであってもよい。レガシーＤＶＤビデオディスクと関連ウェブサイトをリンクさせるため、プレーヤー１０は、ディスクのコンテンツ提供者を一意的に特定するディスクのＰＶＲ＿ＩＤ（Ｐｒｏｖｉｄｅｒ  Ｕｎｉｑｕｅ  ＩＤ）と、ディスクのタイトル（映画など）を一意的に特定するディスクのＴｉｔｌｅ＿ＩＤ（タイトルＩＤ）を利用する。
【００１３】
ＰＶＲ＿ＩＤは、すべてのＤＶＤビデオディスク上に与えられ、テーブル１に示されるように、ＶＭＧＩ＿ＭＡＴ（Ｖｉｄｅｏ  Ｍａｎａｇｅｒ  Ｉｎｆｏｒｍａｔｉｏｎ  Ｍａｎａｇｅｍｅｎｔ  Ｔａｂｌｅ）データ構造に配置される。
【００１４】
【表１】
2006507619.tif 000003
ＶＭＧＩ＿ＭＡＴは、ＤＶＤビデオの制御データを有する。ＰＶＲ＿ＩＤは、ＩＳＯ６４６のキャラクタセットコードを用いて３２バイトにより記述される。ＰＶＲ＿ＩＤが３２バイト未満であるとき、「００ｈ」が未使用領域に記述される。
【００１５】
しかしながら、Ｔｉｔｌｅ＿ＩＤは、ＤＶＤビデオ規格では規定されておらず、いくつかのメソッドにより利用可能である。１つの方法は、一部のレガシーＤＶＤビデオディスクにおいて利用可能なＢＣＡ（Ｂｕｒｓｔ  Ｃｕｔｔｉｎｇ  Ａｒｅａ）におかれた一意的なシリアル番号を利用するというものである。あるいは、ディスクのＵＤＦ（Ｕｎｉｖｅｒｓａｌ  Ｄｉｓｃ  Ｆｏｒｍａｔ）ファイルシステムのボリュームセットＩＤが、Ｔｉｔｌｅ＿ＩＤとして利用されてもよい。他の方法としては、コンテンツ提供者によってプライベートデータを有するディスクのデータセクタに格納されている一意的なＴｉｔｌｅ＿ＩＤを利用するというものである。ディスクのデータセクタには、コンテンツ提供者が一意的なＴｉｔｌｅ＿ＩＤを含む自身の情報を格納することができる多数の場所がある。例えば、コンテンツ提供者情報を格納するためのリードインエリアは、このような目的に利用されてもよい。第３の方法としては、生成されたＴｉｔｌｅ＿ＩＤを利用するというものである。このアプローチでは、ディスク上の情報から統計的に一意的なＴｉｔｌｅ＿ＩＤが生成される。例えば、ＶＭＧＩ＿ＭＡＴの情報を利用して、後述されるようなディスクのＴｉｔｌｅ＿ＩＤを生成するようにしてもよい。このアプローチを利用することにより、既存のあらゆるレガシーディスクのタイトルＩＤの利用可能性を保証することができる。
【００１６】
本発明の第１実施例では、プレーヤー１０は、ＡＯＬタイムワーナーやウォルトディズニーなどの人気のあるＤＶＤコンテンツ提供者のＵＲＬリストを含む小規模データベースを有する。ディスク２０をプレーヤー１０にロードした後、プレーヤーは、ディスクからＰＶＲ＿ＩＤを読み込み、このＰＶＲ＿ＩＤを用いてＵＲＬリストから関連するコンテンツ提供者のＵＲＬを検出する。このＵＲＬは、テーブル２に示されるようなコンテンツ提供者により作製されたいくつかの人気のあるＴｉｔｌｅ＿ＩＤのリストと、ディスク上のＴｉｔｌｅ＿ＩＤの位置、Ｔｉｔｌｅ＿ＩＤの導出メソッド、及び関連ウェブサイトの対応するＵＲＬを含むテーブルにインデックス処理される。その後、プレーヤー１０は、ウェブページを特定する対応するＵＲＬを検出するため、テーブル２の位置と導出メソッドのカラムのデータに基づき、ディスクのＴｉｔｌｅ＿ＩＤの導出を試行し、導出したＴｉｔｌｅ＿ＩＤとＴｉｔｌｅ＿ＩＤカラムのデータを比較する。
【００１７】
【表２】
2006507619.tif 000004
テーブル２では、Ｔｉｔｌｅ＿ＩＤの位置は、ＢＣＡ、プライベートデータを有するデータセクタ、ＶＭＧＩ＿ＭＡＴあるいはディスクのデータ構造の他の場所にあるかもしれない。導出メソッドカラムは、ディスクの指定位置から直接Ｔｉｔｌｅ＿ＩＤを読み込むか、あるいはアルゴリズムタイプカラムに示されるようなアルゴリズムを用いてＴｉｔｌｅ＿ＩＤを生成するなどすることにより、Ｔｉｔｌｅ＿ＩＤの導出メソッドを特定する。テーブル２のアルゴリズムタイプに対応するアルゴリズムのリストがプレーヤーに予め格納され、これにより、プレーヤーは、指定されたアルゴリズム及び関連するデータを利用して、Ｔｉｔｌｅ＿ＩＤの計算及び生成を行うことが可能である。関連するウェブサイトカラムのＵＲＬは、対応するＵＲＬを示す。例えば、位置カラムが「ＢＣＡ」を示し、導出メソッドカラムが「Ｒｅａｄ」を示す場合、プレーヤー１０は、それのＴｉｔｌｅ＿ＩＤを検出するため、ディスクからＢＣＡを読み出そうとするであろう。しかしながら、すべてのＤＶＤがＢＣＡを有するとは限らず、またすべてのＤＶＤプレーヤーがＢＣＡを読み込むことが可能であるとは限らない。この場合、「Ｇｅｎｅｒａｔｅ  ＩＤ」などの他の方法が利用されてもよい。この場合、プレーヤー１０は、指定されたアルゴリズムを用いて、指定位置（ＶＭＧＩ＿ＭＡＴなど）の情報に基づきＴｉｔｌｅ＿ＩＤを生成しようとするであろう。Ｔｉｔｌｅ＿ＩＤの生成方法には多くのものがある。１つの方法は、タイトルセットやチャプタのスターティング及びエンディングアドレスを用いてＴｉｔｌｅ＿ＩＤの計算及び生成を行うことにより、ＣＤとサービスウェブサイトをリンクさせるＣＤ−ＤＢ（ＣＤデータベース）と同様の方法を利用するというものである。他の方法としては、Ｔｉｔｌｅ＿ＩＤを生成するため、ＶＭＧＩ＿ＭＡＴの情報を利用するものがある。例えば、ＶＭＧＩ＿ＭＡＴのすべてのフィールドのデータが加算可能であり、Ｔｉｔｌｅ＿ＩＤを生成するため、その和をある数で割ることができる。
【００１８】
図２は、本発明の第１実施例によるディスクの関連ウェブサイトを特定する詳細なプロセス３０を示す。ディスクがプレーヤーにロードされた後（ステップ３２）、プレーヤーは、ロードされたディスクがＷｅｂＤＶＤであるかディスクのファイルシステムから検出する（ステップ３４）。ＷｅｂＤＶＤである場合、プレーヤーは、ＤＶＤフォーラムにより採用されているＷｅｂＤＶＤ規格に従って関連ウェブサイトとディスクをリンクさせ（ステップ３６）、ＷｅｂＤＶＤナビゲーションを開始する（ステップ３８）。
【００１９】
他方、ディスクがレガシーＤＶＤである場合、プレーヤー１０は、関連するコンテンツ提供者を決定するため、ディスクからＰＶＲ＿ＩＤを読み込み（ステップ４０）、プレーヤーのデータベースのＵＲＬリストを検索し（ステップ４２）、コンテンツ提供者の対応するＵＲＬを検出する（ステップ４４）。このＵＲＬがリストにない場合、プレーヤー１０は、従来のＤＶＤビデオモードを開始することにより、従来の方法によりディスクを再生する（ステップ４６）。しかしながら、対応するＵＲＬがリストから検出されると、このＵＲＬはテーブル２に示されるテーブルにインデックス処理される。その後、プレーヤー１０は、当該ＵＲＬに関連付けされたテーブルの第１エントリをプレーヤーのメモリにロードし（ステップ４８）、このエントリの当該位置からの情報、導出メソッド及びアルゴリズムタイプカラムに基づき、ディスクからのＴｉｔｌｅ＿ＩＤの導出を試行する（ステップ５０）。
【００２０】
ディスクのＴｉｔｌｅ＿ＩＤが導出された後、それはこのエントリのＴｉｔｌｅ＿ＩＤカラムのデータと比較され（ステップ５２）、一致があるか判断される（ステップ５４）。一致がある場合、プレーヤー１０は、エントリのＵＲＬカラムのＵＲＬデータを抽出し、このＵＲＬデータを用いてディスクとコンテンツ提供者の対応するウェブページをリンクさせ（ステップ５８）、ＷｅｂＤＶＤナビゲーションを開始する（ステップ６０）。しかしながら、導出したＴｉｔｌｅ＿ＩＤがエントリのＴｉｔｌｅ＿ＩＤカラムのデータと一致しない場合、プレーヤー１０は、当該エントリがリストの最後のエントリであるか判断する（ステップ６２）。エントリがリストの最後のエントリである場合、プレーヤーは、すでに検出されているＵＲＬを用いて、コンテンツ提供者のジェネラルウェブサイトをディスクにリンクさせ（ステップ６４）、上述の方法と同様にしてディスクに対する具体的なＵＲＬを検索する（ステップ６６）。ジェネラルウェブサイトは、テーブル２と同様のテーブルを含む。次にこの具体的なＵＲＬが検出されたか判断される（ステップ６８）。具体的ＵＲＬが検出されると、プレーヤーは、ディスクと具体的ＵＲＬをリンクさせ（ステップ５８）、ＷｅｂＤＶＤナビゲーションを開始する（ステップ６０）。他方、具体的ＵＲＬが検出されない場合、プレーヤーは、従来どおりにディスクを再生する（ステップ４６）。
【００２１】
第１実施例の変形では、プレーヤーがディスクからＰＶＲ＿ＩＤを検出することができない場合、プレーヤーは、単にテーブルの１つのエントリをメモリにロードし、当該位置のデータ、導出メソッド及びアルゴリズムタイプカラムに基づき、ディスクのＴｉｔｌｅ＿ＩＤの導出を試行する。その後、プレーヤーは、導出したＴｉｔｌｅ＿ＩＤがエントリのＴｉｔｌｅ＿ＩＤカラムのデータと一致するか判断する。以降の処理は、第１実施例と同様である。
【００２２】
本発明の第２実施例によると、第１実施例のプレーヤーと同様のデータベースがウェブサーバに格納される。このデータベースは、プレーヤーによるアクセスのためのコンテンツ提供者のウェブサイトへのＵＲＬリンクとそれらのビデオタイトルのより包括的なリストを有する。本実施例では、ディスク２０がプレーヤー１０にロードされた後、プレーヤーは、ディスクからＰＶＲ＿ＩＤとＴｉｔｌｅ＿ＩＤを読み込み、一致を検索するため、プレーヤーメーカーまたは他の組織（ＤＶＤフォーラムなど）により提供されるデータベースを含むソースウェブサイトに当該ディスクをリンクさせる。
【００２３】
図３は、本発明の第２実施例によるディスクの関連ウェブサイトを特定する詳細なプロセス７０を示す。ディスクがプレーヤーにロードされた後（ステップ７２）、プレーヤーは、ロードされたディスクがＷｅｂＤＶＤであるかディスクのファイルシステムから検出する（ステップ７４）。それがＷｅｂＤＶＤである場合、プレーヤーは、ＤＶＤフォーラムにより採用されるＷｅｂＤＶＤ規格に従って関連ウェブサイトとディスクをリンクさせ（ステップ７６）、ＷｅｂＤＶＤナビゲーションを開始する（ステップ７８）。
【００２４】
他方、ディスクがレガシーＤＶＤである場合、プレーヤー１０は、ＰＶＲ＿ＩＤを読み込み（ステップ８０）、ディスクからＴｉｔｌｅ＿ＩＤを導出する（ステップ８１）。Ｔｉｔｌｅ＿ＩＤは、ＢＣＡなどのディスクの特定位置を読み込むことによるなどデフォルトによる方法により導出される。プレーヤーは、ＰＶＲ＿ＩＤ及びＴｉｔｌｅ＿ＩＤに基づき、包括的なデータベースから対応するＵＲＬを検索するため（ステップ８４）、ソースウェブサイトとディスクをリンクさせる（ステップ８２）。ＵＲＬが検出される場合、プレーヤー１０は、ディスクを対応するウェブサイトにリンクさせ（ステップ８６）、ＷｅｂＤＶＤナビゲーションを開始する（ステップ８８）。ＵＲＬが検出されない場合、それは、デフォルトによる方法で導出されたＴｉｔｌｅ＿ＩＤが正しくないということを意味しうる。その後、プレーヤー１０は、テーブル２と同様のウェブサイト上のテーブルの第１エントリから、Ｔｉｔｌｅ＿ＩＤの位置及び導出メソッドとアルゴリズムタイプに関する情報を取得する（ステップ９０）。
【００２５】
その後、プレーヤーは、テーブルの第１エントリに示される位置、導出メソッド及びアルゴリズムタイプに従って、ディスクのＴｉｔｌｅ＿ＩＤの導出を試行する（ステップ９２）。ディスクのＴｉｔｌｅ＿ＩＤを導出した後、プレーヤー１０は、ウェブサイト上のデータベースから対応するＵＲＬを検索するのに導出されたＰＶＲ＿ＩＤとＴｉｔｌｅ＿ＩＤを用いて（ステップ９４）、一致が検出されるか判断する（ステップ９６）。ＵＲＬが検出されると、プレーヤー１０は、ディスクを対応するウェブサイトにリンクさせ（ステップ９８）、ＷｅｂＤＶＤナビゲーションを開始する（ステップ１００）。他方、ＵＲＬが検出されない場合、当該エントリがテーブルの最後のエントリであるか判断される（ステップ１０２）。当該エントリが最後のエントリである場合、そのことは、当該ディスクがウェブサイトによりサポートされていないことを意味し、プレーヤー１０は、従来のＤＶＤビデオモードを開始することにより、従来の方法によりディスクを再生する（ステップ１０４）。当該エントリが最後のエントリでない場合、一致が検出されるか、あるいはリストのすべてのエントリがチェックされるまで、適用可能である場合にはステップ９８と１００と共に、ステップ９０、９２、９４及び９６が繰り返される。
【００２６】
本発明の第３実施例は、上述の本発明の第１実施例と第２実施例を組み合わせたものである。第３実施例では、プレーヤーは、対応するＵＲＬの予備検索を可能にするため、小規模データベースに人気のあるコンテンツ提供者のリストを含む。このデータベースの検索後、一致が検出されない場合には、より包括的な検索を実行するため、ソースウェブサイトがプレーヤーによりアクセスされる。本発明の第３実施例のフロー図は、ステップ４４においてＵＲＬが検出されない場合に、図３のステップ８１〜１０４が実現されるという点を除き、図２に基づいている。
【００２７】
上述の第３実施例では、プレーヤーのデータベースは、ソースウェブサイトからの新たな情報により定期的に更新されるようにしてもよい。また、プレーヤーは、当該ディスクが次に再生されるとき、コンテンツがより迅速にロードされるように、アクセスされると、ウェブサイトのアドレスをキャッシュし、直近にアクセスされていない古いアドレスを削除する。さらに、ユーザは、新しいウェブサイトアドレスによりデータベースを手動により更新するようにしてもよい。
【００２８】
上記説明では、本発明に関してＤＶＤビデオディスクが説明された。本発明の同様の原理が、ＤＶＤオーディオディスクやＳＡＣＤ（Ｓｕｐｅｒ  Ａｕｄｉｏ  ＣＤ）などの他のタイプのディスクに適用可能である。
【００２９】
本発明が具体的な実施例と共に説明されたが、上記説明に基づき、多くの変形、改良及び変更が当業者には明らかであろう。従って、そのような変形、改良及び変更のすべては、添付した請求項の趣旨及び範囲に属するものと受け入れられると意図される。
【図面の簡単な説明】
【００３０】
【図１】図１は、本発明の一実施例によるＷｅｂＤＶＤプレーヤーとインターネットとの間の接続を示す。
【図２】図２は、本発明の第１実施例によるディスクの関連ウェブサイトを特定する詳細なプロセスを示す。
【図３】図３は、本発明の第２実施例によるディスクの関連ウェブサイトを特定する詳細なプロセスを示す。
【図１】
2006507619.tif 000005
【図２】
2006507619.tif 000006
【図３】
2006507619.tif 000007
【国際調査報告】
2006507619.tif 000008
2006507619.tif 000009
2006507619.tif 000010
2006507619.tif 000011
2006507619.tif 000012
2006507619.tif 000013